(57)【要約】      （修正有）【課題】大型２ストローク圧縮着火型内燃エンジンのねじり振動を低減する。【解決手段】ピストン２１は、ピストン棒、クロスヘッド２３、および連接棒を介してクランクシャフト２２に動作可能に連結される。エンジンは、シリンダ１のそれぞれに付随する１つ以上の燃料弁３０を有する燃料噴射系を備え、電子制御ユニット５０は、燃料噴射のタイミングを制御するように構成され、少なくとも特定の回転速度範囲内のエンジンを、ＴＤＣ以降の少なくとも１回のプリ噴射と、その後のメイン噴射とを実行することによる遅延燃料噴射により運転する。【選択図】図３
2019007482.tif 000002
【特許請求の範囲】
【請求項１】
エンジン運転中に下死点（Bottom Dead Center：ＢＤＣ）と上死点（Top Dead Center：ＴＤＣ）との間を往復するピストン（２１）をそれぞれ内部に備える複数のシリンダ（１）と、
燃焼のために前記シリンダ（１）に燃料を噴射するために、前記シリンダ（１）それぞれに付随する１つ以上の燃料弁（３０）を備える燃料噴射系と、
前記燃料弁（３０）の開閉を制御することによって、前記シリンダ（１）のクランク角に応じて燃料噴射のタイミングを制御するように構成される電子制御ユニット（５０）と、
を備え、
前記ピストン（２１）は、ピストン棒と、クロスヘッド（２３）と、連接棒とを介してクランクシャフト（２２）に動作可能に連結され、
前記クランクシャフト（２２）は、前記エンジンの運転中に所定の回転速度で回転し、
前記電子制御ユニット（５０）は、少なくとも特定の回転速度範囲内の前記エンジンの前記シリンダ（１）の少なくとも１つを、ＴＤＣ以降の少なくとも１回のプリ噴射と、その後のゼロ燃料噴射期間と、その後の遅延メイン噴射とを電子制御ユニット（５０）によって実行することによる遅延燃料噴射により、運転するように構成される、
大型２ストローク圧縮着火型内燃エンジン。
【請求項２】
前記電子制御ユニットは、前記クランクシャフト（２２）における、および／または前記クランクシャフトに連結されたプロペラ軸（４２）における、および／または前記クランクシャフト（２２）を負荷に連結する中間軸におけるねじり震動を低減するように構成される、請求項１に記載のエンジン。
【請求項３】
前記負荷は、船舶（４０）を推進するためのプロペラ（４４）である、請求項２に記載のエンジン。
【請求項４】
前記クランクシャフト（４２）は、船舶（４０）を推進するためのプロペラ（４４）に主軸（４２）によって連結される、請求項２または３に記載のエンジン。
【請求項５】
前記電子制御ユニット（５０）は、前記特定の回転速度範囲中に増加する負荷下で前記エンジンを運転する間に、前記シリンダの少なくとも１つに対し、ＴＤＣ以降の少なくとも１回のプリ噴射と、その後のメイン噴射とを前記電子制御ユニット（５０）によって実行することによる遅延燃料噴射により、前記エンジンを運転するように構成される、請求項１から４のいずれかに記載のエンジン。
【請求項６】
前記電子制御ユニット（５０）は、少なくとも、前記エンジンを前記特定の回転速度範囲内で運転している間に、前記メイン噴射を、好ましくはＴＤＣ後の１２°より遅く、より好ましくはＴＤＣ後の１３°より遅く、さらに好ましくはＴＤＣ後の１４°より遅く、最も好ましくはＴＤＣ後の１５°よりも遅く実行するように構成される、請求項１から５のいずれかに記載のエンジン。
【請求項７】
前記少なくとも１回のプリ噴射は、エンジン全負荷時の前記メイン噴射において噴射される燃料の量よりかなり少ない燃料噴射量で行われる、請求項１から６のいずれかに記載のエンジン。
【請求項８】
前記電子制御ユニット（５０）は、前記遅延メイン噴射時の前記シリンダ（１）内の温度が、ＴＤＣ時の前記シリンダ内の温度とほぼ等しくなるようにするために十分な燃料量をプリ噴射するように構成される、請求項１から７のいずれかに記載のエンジン。
【請求項９】
前記メイン噴射用の燃料は気体燃料であり、前記プリ噴射用の燃料は着火液であり、前記着火液は前記メイン噴射と同時にも噴射される、請求項１から８のいずれかに記載のエンジン。
【請求項１０】
前記電子制御ユニット（５０）は、前記エンジンが前記特定の回転速度範囲内で運転されているときに、前記シリンダ（１）の少なくとも１つに対してＴＤＣ後にパイロット噴射を行い、前記エンジンが前記特定の回転速度範囲外で運転されているときより遅く、当該シリンダ（１）に前記メイン燃料噴射イベントを開始するように構成される、請求項１から９のいずれかに記載のエンジン。
【請求項１１】
前記メイン燃料噴射イベントの遅い開始は、好ましくはＴＤＣ後の１２°より遅く、より好ましくはＴＤＣ後の１３°より遅く、さらに好ましくはＴＤＣ後の１４°より遅く、最も好ましくはＴＤＣ後の１５°より遅い、請求項１０に記載のエンジン。
【請求項１２】
大型２ストローク圧縮着火型内燃エンジンを運転する方法であって、
前記エンジンは、
・  エンジン運転中に下死点（Bottom Dead Center：ＢＤＣ）と上死点（Top Dead Center：ＴＤＣ）との間を往復するピストン（２１）をそれぞれ内部に備える複数のシリンダ（１）と、
・  燃焼のために前記シリンダ（１）に燃料を噴射するために、前記シリンダ（１）それぞれに付随する１つ以上の燃料弁（３０）を備える燃料噴射系とを備え、
・  前記ピストン（２１）は、ピストン棒と、クロスヘッド（２３）と、連接棒とを介してクランクシャフト（２２）に動作可能に連結され、
前記クランクシャフト（２２）は、前記エンジンの運転中に所定の回転速度で回転する、
エンジンであり、
前記方法は、少なくとも特定の回転速度範囲において、遅延燃料噴射により、ＴＤＣ以降の少なくとも１回のプリ噴射と、その後のゼロ燃料噴射期間と、その後の遅延メイン燃料噴射とを実行することを含む、方法。
【請求項１３】
前記メイン噴射は、好ましくはＴＤＣ後の１２°より遅く、より好ましくはＴＤＣ後の１３°より遅く、さらに好ましくはＴＤＣ後の１４°より遅く、最も好ましくはＴＤＣ後の１５°より遅く実行される、請求項１２に記載の方法。
【請求項１４】
前記エンジンが前記特定の回転速度範囲外で運転されているとき、前記燃料噴射は前記遅延メイン燃料噴射よりも早く実行される、請求項１２または１３に記載の方法。
【請求項１５】
前記少なくとも１回のプリ噴射は、エンジン全負荷時の前記メイン噴射において噴射される燃料の量よりかなり少ない燃料噴射量で行われる、請求項１２から１４のいずれかに記載の方法。
【請求項１６】
前記遅延メイン噴射時の前記シリンダ内の温度が、ＴＤＣ時の前記シリンダ内の温度とほぼ等しくなるようにするために十分な燃料量をプリ噴射することをさらに含む、請求項１２から１５のいずれかに記載の方法。
【請求項１７】
着火液のプリ噴射と、その後のメイン噴射とを実行することをさらに含み、
前記メイン噴射は、気体燃料と少量の着火液とを噴射することを含む、請求項１２から１６のいずれかに記載の方法。
【発明の詳細な説明】
【技術分野】
【０００１】
本開示は、クロスヘッドを有する大型ターボ過給式２ストローク圧縮着火型内燃エンジン、およびそのようなエンジンを運転する方法に関する。
【背景】
【０００２】
クロスヘッドを有する大型ターボ過給式２ストローク圧縮着火型内燃エンジンは、典型的には、コンテナ船などの大型外航船または発電所における原動機として使用される。
【０００３】
特に外航船内で運転される場合、ねじり震動の制御が困難になりうる。このようなねじり震動は、エンジンをプロペラに連結するプロペラ軸がねじれに対して比較的柔軟であり、このねじれに対して比較的柔軟な仕組みが、エンジンから変動する接線方向の圧力（トルク）を受けることによって生じる。この、エンジンからの変動する接線方向の圧力は、各シリンダにおけるサイクル工程によって生じ、クランクシャフトの回転ごとに繰り返される。この、各シリンダにおけるサイクル工程により、クランクシャフトのトルクが大きく変動する。このトルクは圧縮時は負であり、膨張時は正である。これを図５に示す。図５では、１個のシリンダからのシリンダ圧力ＰおよびトルクＱを実線で示し、６個のシリンダからの合成トルクを点線で示している。１回転にわたって複数のシリンダを分散させることで、クランクシャフトのトルクの変動は減少するものの、まだ顕著である。震動応力レベルは、直接的または間接的に測定するか、あるいはエンジンおよびその関連する構造の数学的モデルを用いて予測または計算することができる。エンジンによって駆動または加振される１つ以上の装備を含む個々のエンジンの場合、１つ以上の構成要素レベルの震動応力は、例えばエンジン回転速度や、エンジンの運転モードを規定する様々な運転パラメータに基づいて計算できる。計算された震動応力レベルは所定の制限値と比較でき、制限値を超える場合は適切な処置をとることができる。
【０００４】
震動応力レベルには、縦および横（またはせん断）震動およびねじり震動によって誘発される応力レベルが含まれる。ある構成要素における震動応力レベルが大きすぎる場合、その構成要素の損傷のおそれがあり、ひいてはその構成要素が故障してエンジンおよび／または装備全体に致命的な結果となる可能性がある。そのため、震動応力レベルを安全性限界より低く保つ必要がある。
【０００５】
船舶において、エンジンからの震動はエンジン自体やプロペラ軸に留まらず、船体の他の部分にも伝達される。この震動は、震動として知覚されたり、可聴騒音を生じて船員や乗客に不快感を与えたりする場合がある。そのため、震動応力レベルを快適限界より低く保つことが望ましい。
【０００６】
エンジンの主軸（プロペラ軸を含む）におけるねじり震動は、エンジン回転速度の高調波を含む複数の周波数により構成される。エンジンの主軸におけるねじり振動の周波数は、エンジンの回転速度に関連する。一般に、ｋ個のシリンダを備えるエンジンでは、エンジン回転速度の第ｋ高調波と、その倍数および場合によっては約数が周波数スペクトルに含まれ、各周波数によって対応するねじり振動がエンジンの主軸に生じる。一部の周波数のねじり震動は、他の周波数のねじり振動より大きい。合計振動レベルを所定の制限値より低く保つ必要があり、また、選択された（またはすべての）周波数において振動レベルを所定の制限値より低く保つ必要がある。これらのレベルは周波数ごとに固有に設定できる。
【０００７】
６個のシリンダを備えるエンジンに関する図５の例では、１回転ごとに、クランクシャフトのトルクが負になる６つの期間が事実上存在する。なお、これは単なる例であり、すべてのエンジンが、トルクが負になる期間を有するわけではないことに留意されたい。これはエンジンの連結方法による。シリンダ数の多いエンジンは、クランクトルクが負になる期間を有しない。同様に、５個のシリンダを備えるエンジンは１回転ごとに５つの期間を有し、７個のシリンダを備えるエンジンは１回転ごとに７つの期間を有する、などである。負荷−駆動軸−エンジン系におけるねじり震動の問題は、４、５、６、および７シリンダエンジンにおいて言及されている。これらの振動は重大であり、エンジンと負荷（例えばプロペラ）間の駆動軸の柔軟性を考慮すると、エンジンとプロペラの慣性と、それらを連結する柔軟な軸により、共振が発生する。共振に近づくと、トルク変動による加振が非常に大きくなる。
【０００８】
ねじり震動の問題を軽減するために、ばねまたは粘性型トーショナルダンパが用いられる。しかしながら、トーショナルダンパを用いるとコストがかなり増大する。また、トーショナルダンパを使用しても、これらのエンジンには禁止回転速度範囲、すなわち、連続運転が禁止される速度範囲があることが多い。これは、軸に高い応力がかかると耐用期間が短くなるからである。
【０００９】
ＷＯ２００５／１２４１３２は、燃料噴射量を徐々に増加させて大型２ストロークディーゼルエンジンの燃料噴射系を制御することによって、ねじり震動を減少させる方法を開示している。燃料噴射を徐々に増加させることで、ねじり震動がいくらか減少するが、この効果は、特定の速度範囲においてねじり振動の問題が最も大きいエンジン、例えば５シリンダエンジンには十分ではない。
【００１０】
本願発明者らによるシミュレーションと測定により、着火／燃焼を遅延させると、シリンダ圧力にある意味で影響する、すなわち、特定の重要なトルク変動の程度が大きく減少することが分かった。したがって、燃料噴射を遅延させることでねじり加振を減少させることができる。しかしながら、燃料噴射を上死点（Top Dead Center：ＴＤＣ）後のクランク角１０°時点より遅延させることは、ディーゼルノックの発生のため通常は不可能である。
【摘要】
【００１１】
上記を鑑みて、本発明は、前述の問題を克服または少なくとも軽減するために、少なくとも任意のＲＰＭ帯域において、非常に遅いタイミングの燃料噴射遅延によって運転可能な大型２ストローク圧縮着火型エンジンを提供することを目的とする。
【００１２】
前記およびその他の目的は、独立請求項に示す特徴により達成される。さらなる実施の形態は、従属請求項、明細書、および図面により明らかにされる。
【００１３】
第１の態様によると、大型２ストローク圧縮着火型内燃エンジンが提供される。前記大型２ストローク圧縮着火型内燃エンジンは、エンジン運転中に下死点（Bottom Dead Center：ＢＤＣ）と上死点（Top Dead Center：ＴＤＣ）との間を往復するピストンをそれぞれ内部に備える複数のシリンダと、燃焼のために前記シリンダに燃料を噴射するために、前記シリンダそれぞれに付随する１つ以上の燃料弁を備える燃料噴射系と、前記燃料弁の開閉を制御することによって、前記シリンダのクランク角に応じて燃料噴射のタイミングを制御するように構成される電子制御ユニットと、を備え、前記ピストンは、ピストン棒と、クロスヘッドと、連接棒とを介してクランクシャフトに動作可能に連結され、前記クランクシャフトは、前記エンジンの運転中に所定の回転速度で回転し、前記電子制御ユニットは、少なくとも特定の回転速度範囲内の前記エンジンの前記シリンダの少なくとも１つを、ＴＤＣ以降の少なくとも１回のプリ噴射と、その後のゼロ燃料噴射期間と、その後の遅延メイン噴射とを電子制御ユニットによって実行することによる遅延燃料噴射により、運転するように構成される。
【００１４】
燃焼室内の圧力と温度は、ノックの発生に影響する。燃焼を遅延させると、燃焼室内の空気の膨張により温度と圧力の両方が下がる。ＴＤＣ後、すなわちＴＤＣ＝ゼロ後に少なくとも１回のプリ噴射を実行することで、燃焼室内の温度がより高いレベルに維持され、ディーゼルノック発生のおそれなく、メイン噴射の最大許容遅延をより遅くすることができる。
【００１５】
この文脈における遅延燃料噴射はメイン燃料噴射イベントであり、パイロット噴射ではない。メイン燃料噴射イベントとは、実質的な量の燃料噴射であり、所望のエンジン負荷におけるエンジンの運転に必要な動力を提供する。パイロット噴射とは、少量の燃料噴射であり、所望の負荷に対するエンジンの運転を維持することはできない。このメイン燃料噴射イベントは、ねじり震動が生じる特定の回転速度範囲外における燃料噴射よりも遅く行われる。プリ噴射イベントの後にゼロ噴射の期間があり、その後にメイン噴射イベントが行われる。
【００１６】
したがって、問題の（特定の）速度範囲（ＲＰＭ範囲）では、エンジンは特定のモードで運転される。このモードは低ねじり震動（Torsional Vibration：ＴＶ）モードと呼ぶことができる。問題の速度範囲より下の速度範囲と、問題の速度範囲より上の速度範囲では、エンジンはいくつかの「通常」運転モードの１つで運転される。通常運転モードは、例えば国際海事機関（International Marine Organization：ＩＭＯ）の二次規制（ｔｉｅｒ  II）または三次規制（ｔｉｅｒ  III）の排出量に一致する運転モードである。
【００１７】
メイン燃料噴射イベントを大きく遅延させると、ねじり震動の量が大きく低減される。
【００１８】
第１の態様の第１の可能な実装によると、電子制御ユニットは、メイン噴射を、好ましくはＴＤＣ後の１２°より遅く、より好ましくはＴＤＣ後の１３°より遅く、さらに好ましくはＴＤＣ後の１４°より遅く、最も好ましくはＴＤＣ後の１５°よりも遅く実行するように構成される。これは燃料噴射イベントを開始する角度である。
【００１９】
一般的に従来技術では、メイン燃料噴射イベントは、ＴＤＣ前の極めて小さい角度（例えば１〜２度）とＴＤＣ後の数度（例えば１〜６度）との間の任意の角度に設定される。これは燃料噴射イベントを開始する角度である。燃料噴射イベントの「通常の」開始角度は、エネルギー効率と（例えばＮＯｘの）排出量の両方について最適な角度である。
【００２０】
第１の態様の第２の可能な実装によると、少なくとも１回のプリ噴射は、エンジン全負荷時のメイン噴射において噴射される燃料の量よりかなり少ない燃料噴射量で行われる。
【００２１】
第１の態様の第３の可能な実装によると、少なくとも１回のプリ噴射は、すべてのエンジン負荷においてほぼ同じ燃料量で行われる。
【００２２】
第１の態様の第４の可能な実装によると、電子制御ユニットは、遅延メイン噴射時のシリンダ内の温度が、ＴＤＣ時のシリンダ内の温度とほぼ等しくなるようにするために十分な燃料量をプリ噴射するように構成される。
【００２３】
第１の態様の第５の可能な実装によると、メイン噴射用の燃料は気体燃料であり、プリ噴射用の燃料は着火液であり、着火液はメイン噴射と同時にも噴射される。
【００２４】
第１の態様の第６の可能な実装によると、電子制御ユニットは、クランクシャフトにおける、および／またはプロペラ軸における、および／またはクランクシャフトを負荷に連結する中間軸におけるねじり震動を低減するように構成される。
【００２５】
第１の態様の第７の可能な実装によると、負荷は、船舶を推進するためのプロペラである。
【００２６】
第１の態様の第８の可能な実装によると、クランクシャフトは、船舶を推進するためのプロペラに主軸によって連結される。
【００２７】
第１の態様の第９の可能な実装によると、電子制御ユニットは、特定の回転速度範囲中に負荷下でエンジンを運転する間に、シリンダの少なくとも１つに対し、ＴＤＣ後の少なくとも１回のプリ噴射と、その後のメイン噴射とを電子制御ユニットによって実行することによる遅延燃料噴射により、エンジンを運転するように構成される。
【００２８】
第２の態様によると、大型２ストローク圧縮着火型内燃エンジンを運転する方法が提供される。前記大型２ストローク圧縮着火型内燃エンジンは、エンジン運転中に下死点（Bottom Dead Center：ＢＤＣ）と上死点（Top Dead Center：ＴＤＣ）との間を往復するピストンをそれぞれ内部に備える複数のシリンダと、燃焼のために前記シリンダに燃料を噴射するために、前記シリンダそれぞれに付随する１つ以上の燃料弁を備える燃料噴射系と、を備え、前記ピストンは、ピストン棒と、クロスヘッドと、連接棒とを介してクランクシャフトに動作可能に連結され、前記クランクシャフトは、前記エンジンの運転中に所定の回転速度で回転する。前記方法は、少なくとも特定の回転速度範囲において、遅延燃料噴射により、ＴＤＣ後の少なくとも１回のプリ噴射と、その後のゼロ燃料噴射期間と、その後の遅延メイン燃料噴射とを実行することを含む。
【００２９】
第２の態様の第１の可能な実装によると、メイン噴射は、好ましくはＴＤＣ後の１２°より遅く、より好ましくはＴＤＣ後の１３°より遅く、さらに好ましくはＴＤＣ後の１４°より遅く、最も好ましくはＴＤＣ後の１５°よりも遅く実行される。
【００３０】
第２の態様の第２の可能な実装によると、少なくとも１回のプリ噴射は、エンジン全負荷時のメイン噴射において噴射される燃料の量よりかなり少ない燃料噴射量で行われる。
【００３１】
第２の態様の第３の可能な実装によると、方法は、遅延メイン噴射時のシリンダ内の温度が、ＴＤＣ時のシリンダ内の温度とほぼ等しくなるようにするために十分な燃料量をプリ噴射することを含む。
【００３２】
第２の態様の第４の可能な実装によると、方法は、着火液のプリ噴射と、その後のメイン噴射とを実行することをさらに含み、メイン噴射は、気体燃料と少量の着火液とを噴射することを含む。
【００３３】
第２の態様の第５の可能な実装によると、電子制御ユニットは、エンジンが特定の回転速度範囲内で運転されているときに、シリンダの少なくとも１つに対してＴＤＣ後にパイロット噴射を行い、エンジンが特定の回転速度範囲外で運転されているときより遅く、当該シリンダにメイン燃料噴射イベントを開始するように構成される。
【００３４】
第２の態様の第６の可能な実装によると、メイン燃料噴射イベントの遅い開始は、好ましくはＴＤＣ後の１２°より遅く、より好ましくはＴＤＣ後の１３°より遅く、さらに好ましくはＴＤＣ後の１４°より遅く、最も好ましくはＴＤＣ後の１５°より遅い。
【００３５】
第２の態様の第７の可能な実装によると、エンジンが特定の回転速度範囲外で運転されているとき、燃料噴射すなわちメイン燃料噴射は遅延メイン燃料噴射よりも早く実行される。
【００３６】
本発明における上記の態様およびその他の態様を、以下に説明する実施形態により明らかにする。
【図面の簡単な説明】
【００３７】
以下に示す本開示の詳細な説明において、図面に示す例示的実施形態を参照して、本発明をより詳細に説明する。
【図１】一例示的実施形態に係る大型ターボ過給式２ストローク圧縮着火型エンジンの前部および一方の側部を示す立面図である。
【図２】図１のエンジンの後部および他方の側部を示す立面図である。
【図３】図１に係るエンジンをその吸気系および排気系と共に示す模式図である。
【図４】図１から図３のエンジンを備える船舶を部分的に切り開いた側面図である。
【図５】図１から図３のエンジンによって発生したトルク変動を示す図である。
【図６】図１から図３のエンジンによって発生したトルク変動の影響を示す図である。
【図７】従来技術のエンジンおよび図１から図３に係るエンジンの燃焼室の温度と圧力を示す図である。
【図８】エンジンおよび運転方法の一例示的実施形態における燃料噴射イベントの例を示す図である。
【詳細説明】
【００３８】
以下の詳細な説明において、大型２ストローク圧縮着火型エンジンと、大型２ストローク圧縮着火型エンジンを運転する方法を、例示的実施形態によって説明する。図１から図３は、クランクシャフト２２、連接棒、クロスヘッド２３、およびピストン棒を備える大型低速ターボ過給式２ストロークディーゼルエンジンを示している。図３は、大型低速ターボ過給式２ストロークディーゼルエンジンをその吸気系および排気系と共に示す模式図である。この例示的実施形態において、エンジンは６個のシリンダ１を一列に備えている。大型ターボ過給式２ストロークディーゼルエンジンは一般に、５本から１６本のシリンダを一列に備える。これらのシリンダはエンジンフレーム２４によって担持される。ねじり震動の問題は特に５シリンダエンジン、６シリンダエンジン、および７シリンダエンジンに関連する。このエンジンは、例えば、外洋船舶のメインエンジンとして、または発電所において発電機を回すための固定式エンジンとして用いられる。このようなエンジンの全出力は、例えば、５，０００ｋＷから１１０，０００ｋＷにまで及ぶ。
【００３９】
このエンジンは、シリンダ１の下部領域に環状に配置された複数のピストン制御ポートとしての掃気ポート１９と、シリンダ１の上部の排気弁４とを備える、２ストロークユニフロー型のディーゼル（圧縮着火型）エンジンである。したがって、燃焼室内の流れは常に下から上へであり、このエンジンはいわゆるユニフロー型である。掃気は、掃気受け２から各シリンダ１の掃気ポート１９へと送られる。シリンダ１内の往復ピストン２１により、燃焼室１４内の掃気が圧縮される。燃料が、シリンダカバー２６に設けられる２個または３個の燃料弁３０を介して燃焼室１４に噴射される。燃料噴射のタイミングは、信号線（図３に点線で示す）を介して燃料弁３０に接続された電子制御ユニット５０によって制御される。続いて燃焼が起こり、排気ガスが生じる。排気弁４が開くと、排気ガスは、当該シリンダ１に付随する排気ダクト２０を通って排気受け３へと流れ、第１の排気導管１８を通ってターボ過給機５のタービン６に進み、そこから第２の排気導管７を通って流れ出る。タービン６は、吸気口１０を介して給気される圧縮機９を軸８によって駆動する。
【００４０】
圧縮機９は、給気を加圧して、給気受け２に至る給気導管１１へと送る。導管１１内の掃気は、給気を冷却するためのインタークーラー１２を通って送られる。冷却された給気は、補助ブロワ１６を介して給気受け２へと送られる。補助ブロワ１６は電気モータ１７によって駆動され、低負荷または部分負荷状態の給気を加圧する。負荷がより高い場合、ターボ過給機圧縮機９は十分な圧縮掃気を送り、補助ブロワ１６は逆止弁１５を介して迂回される。
【００４１】
シリンダ１はシリンダライナ１３内に形成される。シリンダライナ１３はシリンダフレーム２５によって担持され、シリンダフレーム２５はエンジンフレーム２４によって支持される。
【００４２】
ピストンエンジンにおいて、死点とは、ピストンがクランクシャフトから最も遠いまたは最も近いときのピストンの位置である。前者は上死点（Top Dead Center：ＴＤＣ）と呼ばれ、後者は下死点（Bottom Dead Center：ＢＤＣ）と呼ばれる。
【００４３】
図４は、大型船舶４０に搭載された図１から図３のエンジンを示している。エンジン１は、船舶４０の船尾に比較的近いエンジンルームに搭載されている。エンジンは、プロペラ軸４２によって、船尾に設置されたプロペラ４４に連結される。プロペラ軸４２とエンジンの間にトーショナルダンパ（図示せず）を設置することができる。
【００４４】
図５は、エンジンサイクル中の各シリンダにおけるサイクル工程のためエンジンによって生じるトルク変動を示すグラフである。エンジンサイクルを横軸に角度として示している。このトルクは圧縮時は負であり、膨張時は正である。図５では、１個のシリンダからのシリンダ圧力Ｐ（バール、縦軸に示す）およびトルクＱを実線で示し、６個のシリンダからの合成トルクを点線で示している。点線から、トルク変動が顕著であり、実際、６シリンダエンジンの１回転ごとに６回、トルクがゼロをわずかに下回ることが明示されている。
【００４５】
図６は、従来技術のエンジンの回転速度（ＲＰＭ）に対する、ねじり震動／予測値の影響の大きさを駆動軸への応力（ＭＰａ）で示したグラフである。
【００４６】
グラフは、４６ＲＰＭ周辺にピークがあることを示している。４６ＲＰＭ周辺に大きなピークがあることから、およそ４２ＰＲＭと４９ＲＰＭの間、すなわち、２本の縦の破線の間に禁止回転速度範囲が設定される。ねじり震動によって特にピーク周囲で生じる駆動軸への応力の大きさは、メイン燃料噴射を遅延させる（小さいプリ噴射を先に行うことにより可能になる）ことによって低減できる。
【００４７】
このグラフは、ＲＰＭに依存する２つの応力限界を２本の一点鎖線で示している。下の鎖線より下の応力レベルでは、連続運転が許容される。上の鎖線より上の応力レベルは許容不可である。下の鎖線と上の鎖線の間の応力レベルは、限定期間内で許容される。
【００４８】
図６の例に示す２本の縦の破線間の、およそ４２ＲＰＭから４９ＲＰＭの回転速度範囲は、ねじり震動レベルが問題と見なされる特定の回転速度範囲である。この特定の回転速度範囲はエンジンによって異なり、エンジン設計、シリンダ数、主軸４２の特性、および主軸４２の負荷に依存する。したがって、この問題の回転速度範囲は、エンジンの全体的なエンジン回転速度範囲内で様々な範囲と位置をとる可能性がある。エンジンの電子制御ユニット５０は、当該エンジンに関連付けられた特定の（問題の）速度範囲において異なるモードでエンジンを運転するように構成される。この異なるモードは、低ねじり震動モードと呼ぶことができる。この特定の速度範囲外では、エンジンは従来の運転モードで運転される。このモードでは一般に、国際海事機関（International Marine Organization：ＩＭＯ）の二次規制（ｔｉｅｒ  II）または三次規制（ｔｉｅｒ  III）によって規定されるものなどの特定の排出量を順守しつつ、最適な燃料効率を確実にするように運転される。一方、低ねじり震動モードは、燃料効率はそれほど重視せず、排出量の閾値を順守する。
【００４９】
図７および図８は、１個のシリンダの燃料噴射イベントのタイミングを示している。破線は、従来技術のエンジン（および特定の回転速度範囲外での「通常の」エンジン運転）の（燃料噴射）イベントを示し、実線は、本開示によるエンジンおよび方法のイベントを示している。図７において、Ｐと標示される線は燃焼室１４内の圧力を示し、Ｔと標示される線は燃焼室１４内の温度を示している。横軸にはＴＤＣに対するクランク角が角度単位で示され、縦軸には燃焼室内の圧力がバール単位で示される。図８において、実線は、プリ噴射イベントと、その後のゼロ燃料噴射期間と、その後の立ち上がりから開始されるメイン燃料噴射イベントを示している。点線は、従来技術のエンジンのメイン燃料噴射イベントを示している。このイベントも立ち上がりから開始され、本開示によるメイン燃料噴射イベントよりもかなり早く行われる。
【００５０】
従来技術のエンジンおよび方法の例において、燃料噴射はＴＤＣ後の５°まで遅延される。ＴＤＣ０と、５°での燃料噴射との間に、燃焼室１４内の温度と圧力の両方が低下する。ＴＤＣ後の５°において燃料が噴射され、この時点から、燃焼室の温度はそれぞれの最大値に達するまで上昇する。
【００５１】
本開示によるエンジンの一例において、電子制御ユニット５０が燃料弁３０を操作することにより、小さいプリ噴射が実行される。このプリ噴射はＴＤＣ０以降に実行される。好ましくは、プリ噴射はＴＤＣ後の６°から１０°の間、さらに好ましくは約７°から８°、最も好ましくはＴＤＣ後の約８°において実行される。プリ噴射は、その後のメイン噴射と比べて少量の燃料による燃料噴射である。このプリ噴射では、燃焼室１４内の温度が、ＴＤＣ後の約１０°まで、ＴＤＣ０における温度を大きく下回らないようにするために十分な量の燃料を噴射する。その後、ゼロ噴射期間後にメイン噴射が実行される。メイン噴射は電子制御ユニット５０によって制御される。プリ噴射は、１回の噴射としても、一連の複数回の小さいプリ噴射としてもよく、電子制御ユニット５０は一実施形態においてそれに応じて構成される。一実施形態において、メイン噴射（の開始）はＴＤＣ後の最大２５°まで遅延される。好ましくは、メイン噴射はＴＤＣ後の少なくとも１２°、より好ましくはＴＤＣ後の少なくとも１３°、さらに好ましくはＴＤＣ後の少なくとも１４°、最も好ましくはＴＤＣ後の少なくとも１５°において実行される。プリ噴射をＴＤＣ時点またはＴＤＣ直後に行えば、メイン噴射のタイミングを２０°から２５°まで遅らせても（当該角度において開始しても）ディーゼルノックや他の燃焼の問題が生じないことが、テストやシミュレーションによって示されている。
【００５２】
噴射の遅延は一般的に燃料効率を損なうため、通常は、ねじり震動や共振の問題のあるエンジン回転速度の範囲にのみ適用される。したがって電子制御ユニット５０は、一実施形態において、ねじり振動の問題に関連するエンジンの所定の速度範囲のみにおいて、プリ噴射と遅延されたメイン噴射を適用する。もちろん、二重噴射（プリ噴射とその後の遅いタイミングのメイン噴射）は、ＮＯｘ排出量の削減などの他の目的に用いることもできる。
【００５３】
本開示に係るエンジンおよび方法によると、メイン噴射イベント（の開始）をＴＤＣ後の１０°よりもさらに遅延させることができ、これによってねじり予測値を低減し、エンジン−軸−負荷系におけるねじり震動に関連する問題を軽減することができる。重くコストの高い（ねじり）振動ダンパを節約でき、エンジン禁止回転速度範囲を縮小または回避して、すべての回転速度で自由にエンジンを運転することができる。
【００５４】
本開示によるエンジンおよび方法は、船舶用ディーゼルや重油など従来の燃料や、気体燃料などの代替燃料にも用いることができる。
【００５５】
気体燃料の場合、プリ噴射は一般的に船舶用ディーゼルなどの着火液で実行される。メイン噴射は、少量の着火液と主要量の気体燃料による噴射となる。
【００５６】
一実施形態によると、エンジンの各シリンダは異なるサイクル工程で動作させてもよい。したがって、プリ噴射とその後の遅いタイミングのメイン噴射を１つ以上の選択したシリンダに適用し、他のシリンダはサイクルごとに１回の燃料噴射による従来のサイクルで動作させてもよい。
【００５７】
一実施形態において、燃料の種類はシリンダごとに異なる。
【００５８】
上記の様々な実施形態によって本発明を説明したが、開示した実施形態に対する他の変形は、図面、開示内容、および添付の特許請求の範囲を検討することにより、請求項記載の発明を実施する際に当業者により理解され行われることのできるものである。特許請求の範囲において、「有する、備える」という文言はその他の要素またはステップを排除せず、単数表現は複数を排除しない。特定の手段が相互に異なる従属請求項に列挙されているという事実のみでは、これらの手段の組み合わせが有効に使用されないことにはならない。
【００５９】
特許請求の範囲における参照符号は、その範囲を限定するものと解釈してはならない。
【図１】
2019007482.tif 000003
【図２】
2019007482.tif 000004
【図３】
2019007482.tif 000005
【図４】
2019007482.tif 000006
【図５】
2019007482.tif 000007
【図６】
2019007482.tif 000008
【図７】
2019007482.tif 000009
【図８】
2019007482.tif 000010
【外国語明細書】
2019007482000001.pdf